(57)【要約】【課題】厚さ及び幅を抑制しながらも、外部からの振動を吸収する。【解決手段】車載用光ディスク装置２は、ディスク再生メカ、ケース５を備える。ケース５を、３個のダンパー８を介して保持ベース７に取り付ける。ケース５は、上カバー１１、下カバー１２を備える。下カバー１２は、メカ収容部１２ａ、ウィング部１２ｂを備える。メカ収容部１２ａの側面に、左支持板１５、右支持板１６及び後支持板１７を取り付ける。右支持板１６は、ウィング部１２ｂの下方に位置するようにダンパー８を支持する。ケース５は、コイルバネ１８により揺動自在に保持ベース７に取り付けられる。ケース５が前後方向に揺動した場合には、左揺動規制部７ｅが第１揺動規制片１５ｃまたは第２揺動規制片１５ｄに当接して、ケース５の揺動が規制される。【選択図】図５
2008269743.tif 000002
【特許請求の範囲】
【請求項１】
光ディスクの再生及び／または記録を行うディスク再生メカを備えた光ディスク装置において、
前記ディスク再生メカを収容するメカ収容部、及び、前記メカ収容部の下面よりも上方で、且つ前記メカ収容部の側面から突出して設けられ、前記光ディスクの側端部の下面を覆うウィング部を有するケースと、
前記ウィング部の下方及び前記ケースの側方にそれぞれ設けられ、前記ケースへの振動を吸収するダンパーと、
前記ウィング部の下方に設けられた前記ダンパーを支持する第１支持部と、
前記ケースの側方に設けられた前記ダンパーを支持する第２支持部と、を備えたことを特徴とする光ディスク装置。
【請求項２】
前記ケースの側方に設けられ、前記ケースを上下方向、左右方向及び前後方向に付勢して前記ケースの位置決めを行う複数の付勢手段を備えたことを特徴とする請求項１記載の光ディスク装置。
【請求項３】
前記付勢手段をコイルバネにより構成し、
前記コイルバネを、前記ケースの上面に直交する方向に対して傾斜させて配したことを特徴とする請求項２記載の光ディスク装置。
【請求項４】
外部機器と接続するためのコネクタと、
前記コネクタが設けられるとともに、前記コネクタが前記ケースから突出するように当該ケースに取り付けられ、前記ディスク再生メカの駆動を制御する制御基板と、を備えたことを特徴とする請求項１ないし３いずれか１つ記載の光ディスク装置。
【請求項５】
前記ケースの下方に設けられ、前記ケースを保持する保持ベースを備え、
前記ケースと前記保持ベースとの一方に、前記第１支持部及び前記第２支持部を設け、他方に前記ダンパーに係合する係合ピンを設けたことを特徴とする請求項１ないし４いずれか１つ記載の光ディスク装置。
【請求項６】
前記保持ベースに設けられ、前記ケースが左右方向及び前後方向に揺動したときに、前記ケースに当接して揺動を規制する揺動規制部を備えたことを特徴とする請求項５記載の光ディスク装置。
【請求項７】
前記第１支持部及び前記第２支持部を前記ケースに設け、
前記第１支持部及び前記第２支持部に設けられ、前記揺動規制部が当接したときに前記ケースの揺動が規制される揺動規制片を備えたことを特徴とする請求項６記載の光ディスク装置。
【請求項８】
前記ケースを覆うカバーを備えたことを特徴とする請求項５ないし７いずれか１つ記載の光ディスク装置。
【発明の詳細な説明】
【技術分野】
【０００１】
本発明は、光ピックアップにより光ディスクに記録された情報の再生や記録を行う光ディスク装置に関するものである。
【背景技術】
【０００２】
ＣＤ−Ｒ、ＤＶＤなどの光ディスクを記憶媒体として用いる光ディスク装置は、光ディスクを高速で回転させるスピンドルモータと、光ディスクの半径方向に移動しながら光ディスクにレーザ光を照射してデータを記録し、あるいは光ディスクから反射されたレーザ光を受光してデータの読み出しを行う光ピックアップとを備えている。
【０００３】
光ディスク装置を、車両に搭載する場合には、外部からの振動により、光ピックアップがデータの記録及び読み出しを行うことができなくなるという問題がある。振動を吸収する技術としては、ダンパーを用いたものがあり（例えば特許文献１参照）、ダンパーを用いて光ディスク装置への振動を吸収する技術が提案されている（例えば特許文献２参照）。
【０００４】
しかしながら、特許文献２では、ダンパーを内シャーシの下方に配しているため、光ディスク装置が厚くなってしまうという問題があった。特に、車両に搭載する場合には、光ディスク装置を搭載する車両内部のスペースが規格により決められているため、厚くなった場合には、光ディスク装置を車両に搭載することができないという問題があった。そこで、ダンパーをケースの側方に配することにより、光ディスク装置の厚みを抑制することが考えられている。
【特許文献１】特開２００１−２７１８６７号公報
【特許文献２】特開２００３−１７３６６６号公報
【発明の開示】
【発明が解決しようとする課題】
【０００５】
しかしながら、ダンパーをケースの側方に配した場合には、光ディスク装置の幅が大きくなってしまうという問題があり、規格化された車両内部のスペースに光ディスク装置を搭載することができないという問題があった。
【０００６】
本発明は、上記課題を解決するためになされたものであり、厚さ及び幅を抑制しながらも、外部からの振動を吸収することができる光ディスク装置を提供することを目的とする。
【課題を解決するための手段】
【０００７】
上記目的を達成するために、本発明の光ディスク装置は、光ディスクの再生及び／または記録を行うディスク再生メカを備えた光ディスク装置において、前記ディスク再生メカを収容するメカ収容部、及び、前記メカ収容部の下面よりも上方で、且つ前記メカ収容部の側面から突出して設けられ、前記光ディスクの側端部の下面を覆うウィング部を有するケースと；前記ウィング部の下方及び前記ケースの側方にそれぞれ設けられ、前記ケースへの振動を吸収するダンパーと；前記ウィング部の下方に設けられた前記ダンパーを支持する第１支持部と；前記ケースの側方に設けられた前記ダンパーを支持する第２支持部と；を備えたことを特徴とする光ディスク装置。なお、本発明の光ディスク装置としては、ＣＤプレーヤ、ＤＶＤプレーヤ／レコーダ等が挙げられる。また、前記ディスク再生メカは、前記光ディスクよりも幅が小さく形成され、前記ウィング部は、前記光ディスクのディスク再生メカにより覆われていない部分である側端部の下面を覆うものである。さらに、前記ダンパーとしては、オイルダンパー等が挙げられる。また、前記ダンパーを３個以上設けることが好ましい。
【０００８】
また、前記ケースの側方に設けられ、前記ケースを上下方向、左右方向及び前後方向に付勢して前記ケースの位置決めを行う複数の付勢手段を備えることが好ましい。
【０００９】
さらに、前記付勢手段をコイルバネにより構成し、前記コイルバネを、前記ケースの上面に直交する方向に対して傾斜させて配することが好ましい。
【００１０】
また、外部機器と接続するためのコネクタと；前記コネクタが設けられるとともに、前記コネクタが前記ケースから突出するように当該ケースに取り付けられ、前記ディスク再生メカの駆動を制御する制御基板と；を備えることが好ましい。
【００１１】
さらに、前記ケースの下方に設けられ、前記ケースを保持する保持ベースを備え、前記ケースと前記保持ベースとの一方に、前記第１支持部及び前記第２支持部を設け、他方に前記ダンパーに係合する係合ピンを設けることが好ましい。また、前記付勢手段は、前記保持ベースに対して前記ケースを付勢して位置決めすることが好ましい。
【００１２】
また、前記保持ベースに設けられ、前記ケースが左右方向及び前後方向に揺動したときに、前記ケースに当接して揺動を規制する揺動規制部を備えることが好ましい。
【００１３】
さらに、前記第１支持部及び前記第２支持部を前記ケースに設け、前記第１支持部及び前記第２支持部に設けられ、前記揺動規制部が当接したときに前記ケースの揺動が規制される揺動規制片を備えることが好ましい。また、前記ケースを覆うカバーを備えることが好ましい。
【発明の効果】
【００１４】
本発明の光ディスク装置によれば、ダンパーをウィング部の下方に設けたから、複数のダンパーを全てケースの側方に設けるものに比べて、光ディスク装置の幅を小さくすることができる。
【００１５】
また、複数の付勢手段により、ケースを上下方向、左右方向及び前後方向に付勢するから、容易にケースの位置決めを行うことができ、さらには、１方向や２方向にのみケースを付勢するものに比べて、ダンパーによるケースの振動吸収率を向上することができる。
【００１６】
さらに、コイルバネを、ケースの上面に直交する上下方向に対して傾斜させて配するから、コイルバネを上下方向に配するものに比べて、光ディスク装置の厚みを薄くすることができる。
【発明を実施するための最良の形態】
【００１７】
図１及び図２に示すように、本発明を実施した光ディスク装置２は、車両に搭載されて使用されるものであり、光ディスク３（図５参照）をオートローディングするローディング機構を有し、光ディスク３にデータの再生及び記録を行うディスク再生メカ４と、ディスク再生メカ４を収容するケース５と、ケース５の前面に取り付けられたフロントカバー６とを備える。
【００１８】
ケース５は、ノート型パソコン（図示せず）に内蔵可能なサイズで形成された薄型タイプのものであり、保持ベース７に、ダンパー８を介して揺動自在に保持されている。図１では図示を省略したが、保持ベース７の上面には、ケース５の左右側面、前後面及び上面を覆う箱状の外カバー９が取り付けられている。外カバー９の前面には、フロントカバー６の前面を露呈する露呈開口９ａが形成されている。光ディスク装置２を車両に搭載するときには、ケース５を保持ベース７に取り付けた状態で、保持ベース７及び／または外カバー９を、車両内部に設けられた取付部に取り付ける。
【００１９】
フロントカバー６には、光ディスク３を挿入するための挿入開口６ａが形成されている。フロントカバー６には、ケース５の内部に格納された光ディスク３をイジェクトするためのイジェクトボタン１０が設けられている。イジェクトボタン１０を押圧すると、光ディスク３はローディング機構によりフロントカバー６の前側に排出される。
【００２０】
図３、図４及び図５に示すように、ケース５は、上カバー１１と下カバー１２とを備えて構成されている。下カバー１２は、断面略コ字状に形成され、ディスク再生メカ４を収容するメカ収容部１２ａと、断面略Ｌ字状に形成され、光ディスク３のディスク再生メカ４により覆われていない部分の下面（光ディスクの側端部の下面）を覆うウィング部１２ｂとを備える。ウィング部１２ｂは、メカ収容部１２ａの下面よりも上方で、且つメカ収容部１２ａの側面から突出して設けられている。光ディスク３は、ディスク再生メカ４に設けられたチャッキングコア（図示せず）により保持されている。なお、図２〜図５においては、図面の乱雑を避けるため、ディスク再生メカ４の図示を省略している。
【００２１】
メカ収容部１２ａの側面には、ダンパー８を支持する左支持板（第２支持部）１５、右支持板（第１支持部）１６及び後支持板（第２支持部）１７が、それぞれビス（図示せず）により取り付けられている。左支持板１５及び右支持板１６は、詳しくは後述するように、コイルバネ１８により、保持ベース７に揺動自在に保持される。これにより、ケース５が、保持ベース７に揺動自在に保持される。コイルバネ１８は、４個設けられている。
【００２２】
メカ収容部１２ａの左側面には、左支持板１５が取り付けられている。左支持板１５は、断面略Ｌ字状に形成された本体部１５ａと、ダンパー８が取り付けられる取付部１５ｂとを備える。本体部１５ａには、第１揺動規制片１５ｃ及び第２揺動規制片１５ｄと、コイルバネ１８をフックするための第１フック孔１５ｅ及び第２フック孔１５ｆとが形成されている。取付部１５ｂの上面には、ダンパー８をビス２１により取り付けるためのネジ切りされたビス締め孔１５ｇが形成され、取付部１５ｂの前面には、ダンパー８の位置決め部８ｆが挿入され、ダンパー８の左右方向の位置決めを行う挿入孔１５ｈが形成されている。
【００２３】
メカ収容部１２ａの右側面であって、ウィング部１２ｂの下方には、右支持板１６が取り付けられている。右支持板１６は、断面略Ｌ字状に形成された本体部１６ａと、ダンパー８が取り付けられる取付部１６ｂとを備える。本体部１６ａには、第１揺動規制片１６ｃ及び第２揺動規制片１６ｄと、コイルバネ１８をフックするための第１フック孔１６ｅ及び第２フック孔１６ｆとが形成されている。取付部１６ｂの上面には、ダンパー８をビス２１により取り付けるためのネジ切りされたビス締め孔１６ｇが形成され、取付部１６ｂの前面には、ダンパー８の位置決め部８ｆが挿入され、ダンパー８の左右方向の位置決めを行う挿入孔１６ｈが形成されている。
【００２４】
メカ収容部１２ａの後側面には、後支持板１７がビス（図示せず）により取り付けられている。後支持板１７は、断面略Ｌ字状に形成された本体部１７ａと、ダンパー８が取り付けられる取付部１７ｂとを備える。本体部１７ａには、第１揺動規制片１７ｃ及び第２揺動規制片１７ｄと、ダンパー８の位置決め部８ｆが挿入され、ダンパー８の左右方向の位置決めを行う挿入孔１７ｅとが形成されている。取付部１７ｂには、ダンパー８をビス２１により取り付けるためのネジ切りされたビス締め孔１７ｆが形成されている。
【００２５】
ダンパー８は、内部にシリコンオイルが充填された公知のオイルダンパーであり、樹脂製の本体部８ａと、ゴム製のゴム弾性部８ｂと、樹脂製の蓋部８ｃとを備える。ゴム弾性部８ｂには、後述する係合ピン３１が挿入される挿入凹部８ｄが形成されている。蓋部８ｃには、ビス２１が挿通されるビス挿通孔８ｅと、位置決め部８ｆとが形成されている。ダンパー８は、それぞれビス２１により各取付部１５ｂ，１６ｂ，１７ｂに取り付けられる。このため、ビス２１は３個設けられている。
【００２６】
コイルバネ１８は、円巻された本体部１８ａと、本体部１８ａの一端に連続して形成され、フック状に曲げ加工された第１アーム部１８ｂと、本体部１８ａの他端に連続して形成され、円弧状に曲げ加工された第２アーム部１８ｃとを備える。
【００２７】
図４に示すように、ケース５の内部には、ディスク再生メカ４の駆動を制御する再生制御基板２５が取り付けられている。再生制御基板２５は、その一部がケース５の後方に突出するように設けられており、ケース５から突出した部分には、光ディスク装置２が搭載される車両に設けられた上位装置であるホストコンピュータ等の電子機器（図示せず）に接続するためのコネクタ２６が設けられている。コネクタ２６に、一端がホストコンピュータに接続された接続ワイヤの他端に取り付けられたプラグ（図示せず）を接続することにより、再生制御基板２５とホストコンピュータとが接続される。このため、外カバー９の後面には、上記した接続ワイヤを挿通されるワイヤ挿通孔（図示せず）が形成されている。光ディスク装置２の内部に、ホストコンピュータの機能（映像及び音声等の出力機能）を備えた場合には、光ディスク装置２を、接続ワイヤを介して、車両に設けられた映像及び音声出力装置（モニターやスピーカ等）に接続する。
【００２８】
図２、図４及び図５に示すように、保持ベース７は、板金により構成されており、その上面には、第１〜第４バネフック部７ａ〜７ｄ、左揺動規制部７ｅ、右揺動規制部７ｆ、後揺動規制部７ｇが、曲げ加工により立設されている。第１〜第４バネフック部７ａ〜７ｄは、断面略Ｌ字状に形成されており、その上面は、コイルバネ１８の第２アーム部１８ｃを掛けることができるように、フック状に形成されている。なお、本実施形態では、図面の乱雑を避けるため、各部７ａ〜７ｇを曲げ加工するために形成する孔の図示を省略している。また、本実施形態では、４個のコイルバネ１８それぞれが、３個のダンパー８により保持されたときのケース５の重心に向けて付勢するように、第１〜第４バネフック部７ａ〜７ｄ、第１，第２フック孔１５ｅ，１５ｆ及び第１，第２フック孔１６ｅ，１６ｆは形成されている。外カバー９の左側面には、外カバー９を保持ベース７に取り付けたときに、第１バネフック部７ａが挿入される第１挿入切欠き９ｂと、第２バネフック部７ｂが挿入される第２挿入切欠き９ｃとが形成されている。
【００２９】
各揺動規制片７ｅ〜７ｇは、ケース５を保持ベース７に取り付けたときに、左揺動規制部７ｅが左支持板１５の第１揺動規制片１５ｃと第２揺動規制片１５ｄとの間に位置し、右揺動規制部７ｆが右支持板１６の第１揺動規制片１６ｃと第２揺動規制片１６ｄとの間に位置し、後揺動規制片７ｇが後支持板１７の第１揺動規制片１７ｃと第２揺動規制片１７ｄとの間に位置するように、それぞれ形成されている。
【００３０】
保持ベース７の上面には、ケース５を保持ベース７に取り付けたときに、ダンパー８の挿入凹部８ｄに挿入される係合ピン３１が、３本取り付けられている。
【００３１】
ケース５を、保持ベース７に取り付ける場合には、先ず、図５（Ａ）に示すように、ダンパー８を、各支持板１５〜１７に取り付ける。ダンパー８を左支持板１５の取付部１５ｂに取り付けるときには、位置決め部８ｆを挿入孔１５ｈに挿入した後、ビス２１をビス挿通孔８ｅに挿通させてビス締め孔１５ｇにビス締めする。同様にして、ビス２１により、ダンパー８を右支持板１６及び後支持板１７の各取付部１６ｂ，１７ｂに取り付ける。
【００３２】
次に、図５（Ｂ）に示すように、ダンパー８の挿入凹部８ｄに、係合ピン３１を挿入する。そして、図４及び図５（Ｃ）に示すように、コイルバネ１８の第１アーム部１８ｂを、左支持板１５の第１フック孔１５ｅにフックさせ、第２アーム部１８ｃを第１バネフック部７ａにフックさせる。同様にして、第１アーム部１８ｂを第２フック孔１５ｆにフックさせ、第２アーム部１８ｃを第２バネフック部７ｂにフックさせる。
【００３３】
そして、コイルバネ１８の第１アーム部１８ｂを、右支持板１６の第１フック孔１６ｅにフックさせ、第２アーム部１８ｃを第３バネフック部７ｃにフックさせる。同様にして、第１アーム部１８ｂを第２フック孔１６ｆにフックさせ、第２アーム部１８ｃを第４バネフック部７ｄにフックさせる。これにより、ケース５は、揺動自在に保持ベース７に保持された状態となる。ケース５を保持ベース７に取り付けた後、コネクタ２６に、一端がホストコンピュータに接続された接続ワイヤの他端に取り付けられたプラグを接続する。そして、外カバー９を保持ベース７に取り付ける。もちろん、外カバー９を保持ベース７に取り付けた後に、外カバー９の後面に形成されたワイヤ挿通孔からプラグを挿入してコネクタ２６に接続してもよい。
【００３４】
次に、上記のように構成された光ディスク装置２の作用について説明する。外部から保持ベース７及び外カバー９に加えられた振動は、ダンパー８により吸収され、ケース５に伝わることがない。これにより、振動がケース５に伝わることに起因するディスク再生メカ４の性能悪化を防止することができる。
【００３５】
また、ダンパー８により振動を吸収するときに、ケース５が左右方向、前後方向及び上下方向に揺動する。ケース５が左右方向及び前後方向に揺動した場合には、左揺動規制部７ｅが第１揺動規制片１５ｃまたは第２揺動規制片１５ｄに当接し、右揺動規制部７ｆが第１揺動規制片１６ｃまたは第２揺動規制片１６ｄに当接し、後揺動規制片７ｇが第１揺動規制片１７ｃまたは第２揺動規制片１７ｄに当接して、ケース５の揺動が規制される。また、ケース５が上方向に揺動した場合には、ケース５の上面が外カバー９の上面の内壁面に当接して、ケース５の揺動が規制され、ケース５が下方向に揺動した場合には、各支持板１５〜１７が保持ベース７に当接して、ケース５の揺動が規制される。
【００３６】
このように、３個のダンパー８のうちの１個を、下カバー１２のウィング部１２ｂの下方に設けたから、複数のダンパー８を、全てケース５の側方に設けるものに比べて、光ディスク装置２の幅（左右方向）を小さくすることができ、さらには、光ディスク装置２の幅を小さくすることにより、保持ベース７及び外カバー９の幅も小さくすることができる。
【００３７】
また、コイルバネ１８を、ケース５の上面に直交する上下方向に対して傾斜させて配したから、コイルバネ１８を上下方向に配したものに比べて、光ディスク装置２の厚みを薄くすることができる。
【００３８】
さらに、コイルバネ１８により、ケース５を上下方向、左右方向及び前後方向に付勢するから、容易に、ケース５の上下方向、左右方向及び前後方向の位置決めを行うことができる。さらに、１方向や２方向にのみケース５を付勢するものに比べて、ダンパー８によるケース５の振動吸収率を向上することができる。
【００３９】
また、ケース５が振動等により揺動した場合にも、左揺動規制部７ｅが第１揺動規制片１５ｃまたは第２揺動規制片１５ｄに当接し、右揺動規制部７ｆが第１揺動規制片１６ｃまたは第２揺動規制片１６ｄに当接し、後揺動規制片７ｇが第１揺動規制片１７ｃまたは第２揺動規制片１７ｄに当接して、ケース５の揺動が規制されるから、ケース５が保持ベース７から外れることがない。
【００４０】
さらに、本発明の光ディスク装置２を車両に搭載した（保持ベース７及び／または外カバー９を車両内部に設けられた取付部に取り付けた）ところ、振動によるディスク再生メカ４の性能悪化がなく、良好であった。
【００４１】
また、コネクタ２６を、ケース５の外部に設けたから、コネクタ２６に、一端がホストコンピュータに接続された接続ワイヤの他端に取り付けられたプラグを接続するときの作業性を向上することができる。光ディスク装置２では、ケース５の後面に、ダンパー８を支持する後支持板１７を取り付けており、ケース５の後面と外カバー９の後面の内壁面との間にスペースが生じる。このスペースに、コネクタ２６を配しているから、光ディスク装置２の前後方向のサイズを大きくすることなく、コネクタ２６へのプラグ接続時の作業性を向上することができる。
【００４２】
さらに、４個のコイルバネ１８それぞれを、３個のダンパー８により保持されたときのケース５の重心に向けて付勢するようにしたから、３個のダンパー８に掛かる負担を均一にすることができ、ダンパー８に掛かる負担が均一ではないものに比べて、ダンパー８による振動吸収率を向上することができ、さらには、同じダンパー８を長時間使用することができる。
【００４３】
また、ノート型パソコンに内蔵可能なサイズで形成されたケース５に、各支持板１５〜１７を取り付け、これら各支持板１５〜１７でダンパー８を保持するから、従来の光ディスク装置に使用しているケースを、ケース５として共通して使用することができる。これにより、ケース５を専用の部材として加工するものに比べて、光ディスク装置２のコストダウンを図ることができる。
【００４４】
なお、上記実施形態では、ケース５に、別部材として、左支持板１５、右支持板１６及び後支持板１７を取り付けたが、各支持板１５〜１７の形状を、ケース５に一体的に形成するようにしてもよい。
【００４５】
また、上記実施形態では、ケース５にダンパー８を取り付け、保持ベース７に係合ピン３１を取り付けたが、ケース５に係合ピン３１を取り付け、保持ベース７にダンパー８を支持する支持部を設けて、保持ベース７にダンパー８を取り付けるようにしてもよい。さらに、３個のダンパー８のうちの１個または２個をケース５に取り付け、それ以外のダンパー８を保持ベース７に取り付けるようにしてもよい。
【００４６】
さらに、上記実施形態では、ダンパー８を、ビス２１により各支持板１５〜１７に取り付けたが、ダンパー８を取り付ける方法は、ビス２１による方法に限定されることなく、適宜変更可能であり、例えば、パッチン止めと称される方法や、２個の部材により挟み込む挟持方法により取り付けるようにしてもよい。
【００４７】
また、上記実施形態では、オイルダンパーとしてのダンパー８を用いて振動を吸収するようにしたが、用いるダンパーの種類は適宜変更可能である。
【００４８】
さらに、上記実施形態では、コイルバネ１８により、ケース５を上下方向、左右方向及び前後方向に付勢したが、ケース５を付勢するものはコイルバネ１８に限定されることなく、適宜変更可能であり、例えば、バネ性を有するダンパーを用いてもよい。この場合には、コイルバネ１８を用いなくてもよい。
【００４９】
また、上記実施形態では、光ディスク装置２とは別に保持ベース７及び外カバー９を設け、光ディスク装置２は保持ベース７及び外カバー９を有していない構成としたが、これに限定されることなく、光ディスク装置２が保持ベース７及び外カバー９を有する構成にしてもよい。
【００５０】
さらに、上記実施形態では、光ディスク装置２とは別に保持ベース７及び外カバー９を設けたが、保持ベース７及び外カバー９の形状を、車両内部の光ディスク装置２が搭載される部分に形成するようにしてもよい。
【００５１】
また、上記実施形態では、光ディスク装置２を車両に搭載する形態について説明を行ったが、光ディスク装置２を搭載するものは車両に限定されることなく、適宜変更可能であり、搭載したときに外部から光ディスク装置２に加えられる振動が大きいもの、例えば航空機に搭載してもよい。さらには、パソコンに搭載してもよく、特に、外部から加えられる振動が大きい環境下（例えば、工事現場や工場等）で使用するパソコンに搭載することにより、振動が大きい環境下においても、振動による性能悪化の影響を受けずにパソコンを使用することができる。
【００５２】
さらに、上記実施形態では、光ディスク３をオートローディングする光ディスク装置２に本発明を実施したが、ディスクトレイを用いて光ディスクをケース５の内部に格納する光ディスク装置にも本発明は実施可能である。
【００５３】
また、上記実施形態では、ダンパー８を３個、コイルバネ１８を４個、それぞれ設けたが、これらの個数は適宜変更可能である。
【図面の簡単な説明】
【００５４】
【図１】本発明の光ディスク装置を示す斜視図である。
【図２】光ディスク装置を示す分解斜視図である。
【図３】ケースとフロントカバーとダンパーと左支持板と右支持板と後支持板とを示す分解斜視図である。
【図４】外カバーを取り外した状態の光ディスク装置を示す上面図である。
【図５】ケースとフロントカバーと保持ベースとダンパーと左支持板と右支持板と後支持板とコイルバネとを示す正面図である。
【符号の説明】
【００５５】
２  光ディスク装置
３  光ディスク
４  ディスク再生メカ
５  ケース
７  保持ベース
７ａ〜７ｄ  第１〜第４バネフック部
７ｅ  左揺動規制部
７ｆ  右揺動規制部
７ｇ  後揺動規制部
８  ダンパー
９  外カバー
１１  上カバー
１２  下カバー
１２ａ  メカ収容部
１２ｂ  ウィング部
１５  左支持板（第２支持部）
１５ｃ，１５ｄ  第１，第２揺動規制片
１６  右支持板（第１支持部）
１６ｃ，１６ｄ  第１，第２揺動規制片
１７  後支持板（第２支持部）
１７ｃ，１７ｄ  第１，第２揺動規制片
１８  コイルバネ
２５  再生制御基板
２６  コネクタ
３１  係合ピン
【図１】
2008269743.tif 000003
【図２】
2008269743.tif 000004
【図３】
2008269743.tif 000005
【図４】
2008269743.tif 000006
【図５】
2008269743.tif 000007